(57)【要約】【課題】ユーザが所望するタイミングおよび処理方法で画像データを処理可能な画像処理装置、画像処理システム、方法およびプログラムを提供すること。【解決手段】本発明の画像処理装置は、外部から画像データを受信したことをユーザに通知し、画像データに対する処理の実行指示および処理方法を受け付ける。本発明の画像処理装置は、ユーザが指示した処理方法で画像データを処理する。【選択図】  図２
2014175911.tif 000002
【特許請求の範囲】
【請求項１】
画像データを処理する画像処理装置であって、
外部から画像データを受信したことをユーザに通知する通知手段と、
前記画像データに対する処理の実行指示および処理方法を受け付ける指示受付手段と、
ユーザが指示した処理方法で前記画像データを処理する処理手段と
を備える、画像処理装置。
【請求項２】
前記画像処理装置は、
前記画像処理装置が利用可能な処理方法を確認する確認手段をさらに備え、
前記通知手段は、
前記画像データを受信した時点で、前記画像処理装置が利用可能な処理方法をユーザに通知することを特徴とする、請求項１に記載の画像処理装置。
【請求項３】
前記画像処理装置は、
外部から受信した画像データを、ユーザが指定する保存先に保存する保存手段をさらに備える、請求項１または２に記載の画像処理装置。
【請求項４】
前記保存手段は、
前記画像データの保存に失敗した場合、他の保存先に画像データを保存し、
前記通知手段は、前記画像データの保存先を変更したことをユーザに通知することを特徴とする、請求項３に記載の画像処理装置。
【請求項５】
前記処理手段は、前記画像データの削除の有無の指示に基づいて、前記画像データの処理後に、保存された画像データを削除することを特徴とする、請求項３または４に記載の画像処理装置。
【請求項６】
前記処理手段は、前記画像データの処理完了通知の有無の指示に基づいて、前記画像データの処理後に、前記画像データの送信元に処理完了通知を送信することを特徴とする、請求項１〜５のいずれか１項に記載の画像処理装置。
【請求項７】
前記通知手段は、前記画像データを受信したことをユーザに通知した後、所定の時間が経過すると、前記画像データを受信したことを、ユーザに再度通知することを特徴とする、請求項１〜６のいずれか１項に記載の画像処理装置。
【請求項８】
画像データを処理する画像処理システムであって、
画像データを受信したことをユーザに通知する通知手段と、
前記画像データに対する処理の実行指示および処理方法を受け付ける指示受付手段と、
ユーザが指示した処理方法で前記画像データを処理する処理手段と
を備える、画像処理システム。
【請求項９】
画像データを処理する画像処理装置が実行する方法であって、前記方法は、前記画像処理装置が、
外部から画像データを受信したことをユーザに通知するステップと、
前記画像データに対する処理の実行指示および処理方法を受け付けるステップと、
ユーザが指示した処理方法で前記画像データを処理するステップと
を含む、方法。
【請求項１０】
請求項９に記載の方法を画像処理装置が実行するための装置実行可能なプログラム。
【発明の詳細な説明】
【技術分野】
【０００１】
本発明は、外部から受信した画像データを処理する画像処理装置に関し、特に、ユーザの指示に基づいて画像データの処理方法を制御する画像処理装置、画像処理システム、方法およびプログラムに関する。
【背景技術】
【０００２】
従来、ネットワークを介して画像データを送信するＦＡＸ送信が広く利用されている。ＦＡＸ送信では、ＦＡＸ送信機等のデータ送信装置が原稿をスキャンし、ユーザの指定する送信先に画像データを送信する。送信先の画像処理装置では、受信した画像データを用紙に印刷して出力する。
【０００３】
このような画像処理装置の中には、受信した画像データを用紙に一律に印刷出力するのではなく、所定の処理方法を選択して実行する画像処理装置も提案されている。
【０００４】
このような画像処理装置の一例として、特許文献１は、画像データの受け取り方法を変更する画像処理装置を開示する。この画像処理装置は、画像データを取得すると、ユーザからの受け取り方法の変更指示によらず、画像データの機密性を判断し、受け取り方法を初期設定から変更するか否か判定し、変更する必要があると判定した場合には、画像データの受け取り方法を変更する。
【発明の概要】
【発明が解決しようとする課題】
【０００５】
しかしながら、特許文献１が開示する画像処理装置では、ユーザからの受け取り方法の変更指示によらず、画像データの受け取り方法を変更してしまうため、ユーザが所望するタイミングで画像データの出力等の処理ができないという問題があった。また、この画像処理装置では、予め決められた受け取り方法によってのみ画像データを受け取るため、ユーザが、画像データの受信を気付いた時点で処理方法を選択することができず、ユーザビリティが低いという問題があった。
【０００６】
本発明は、上記従来技術の問題に鑑みてなされたものであり、ユーザが所望するタイミングおよび処理方法で画像データを処理可能な画像処理装置、画像処理システム、方法およびプログラムを提供することを目的とするものである。
【課題を解決するための手段】
【０００７】
上記課題を解決するために、本発明の画像処理装置は、外部から画像データを受信したことをユーザに通知し、画像データに対する処理の実行指示および処理方法を受け付ける。本発明の画像処理装置は、ユーザが指示した処理方法で画像データを処理する。
【発明の効果】
【０００８】
本発明は、上記手段を採用することにより、ユーザが所望するタイミングおよび処理方法で画像データを処理することができる。
【図面の簡単な説明】
【０００９】
【図１】本発明の画像処理システムの一実施形態を示す概略図。
【図２】本発明の画像処理装置の機能構成を示す図。
【図３】本発明の画像処理装置が実行する処理の第１の実施形態を示すフローチャート。
【図４】本発明の画像処理装置が実行する処理の第２の実施形態を示すフローチャート。
【図５】図４のステップＳ４０３に示す処理方法の確認処理を示すフローチャート。
【図６】本発明の画像処理装置が実行する処理の第３の実施形態を示すフローチャート。
【図７】本発明の画像処理装置が実行する処理の第４の実施形態を示すフローチャート。
【図８】本発明の画像処理装置が実行する処理の第５の実施形態を示すフローチャート。
【図９】本発明の画像処理装置が実行する処理の第６の実施形態を示すフローチャート。
【図１０】本発明の画像処理装置が実行する処理の第７の実施形態を示すフローチャート。
【図１１】画像処理装置の操作パネルに表示される操作画面の一実施形態を示す図。
【発明を実施するための形態】
【００１０】
以下、本発明について実施形態をもって説明するが、本発明は、後述する実施形態に限定されるものではない。
【００１１】
図１は、本発明の画像処理システムの一実施形態を示す概略図である。画像処理システム１００は、ネットワーク１１０に接続されたデータ送信装置１２０と、画像処理装置１３０とを含んで構成される。ネットワーク１１０は、公衆交換電話網で構成される。他の実施形態では、インターネットなどのＩＰネットワークによってネットワーク１１０を構成してもよい。
【００１２】
データ送信装置１２０は、ネットワーク１１０を介して画像処理装置１３０に画像データを送信するデータ送信装置である。データ送信装置１２０は、ＦＡＸ送信機やＭＦＰ（Multi Function Peripheral）等の種々の画像処理装置である。
【００１３】
画像処理装置１３０は、ネットワーク１１０を介してデータ送信装置１２０から受信した画像データを処理する画像処理装置である。画像処理装置１３０は、ユーザの指示に基づいて、ユーザが所望する処理方法で画像データを処理する。
【００１４】
画像処理装置１３０は、種々のプログラムを実行するプロセッサ、プログラムの実行空間を提供するＲＡＭ等の主記憶装置、プログラムやデータなどを持続的に保持するためのＨＤＤ等の補助記憶装置を備えている。画像処理装置１３０は、ＵＮＩＸ（登録商標）、ＬＩＮＵＸ（登録商標）などのＯＳの制御下で、アセンブラ、Ｃ、Ｃ＋＋、ＪＡＶＡ（登録商標）、ＪＡＶＡ  ＳＣＲＩＰＴ（登録商標）などのプログラミング言語で記述された本発明のプログラムを実行し、後述する機能手段を当該画像処理装置上に実現する。
【００１５】
図２は、本発明の画像処理装置の機能構成を示す図である。以下、図２を参照して、画像処理装置１３０の機能構成について説明する。
【００１６】
画像処理装置１３０は、通信部２００と、保存部２０１と、保存先切替部２０２と、通知部２０３と、処理方法確認部２０４と、ＵＩ管理部２０５と、操作パネル２０６とを備える。
【００１７】
通信部２００は、データ送信装置１２０とのデータ通信を制御する機能手段である。通信部２００は、ネットワーク１１０を介してデータ送信装置１２０から画像データを受信し、当該画像データを保存部２０１に提供する。
【００１８】
また、通信部２００は、処理部２０８の指示により、ユーザが指定した出力先に画像データを出力する。さらに、通信部２００は、処理部２０８の指示により、画像データの処理が完了したことを通知する処理完了通知をデータ送信装置１２０に送信する。
【００１９】
保存部２０１は、データ送信装置１２０から受信した画像データを記憶装置に保存する手段である。保存部２０１は、画像データを受信すると、画像データの一時的な保管先を示す保存先指定情報を参照し、当該保存先指定情報が示す保存先に画像データを保存する。
【００２０】
保存先切替部２０２は、ユーザの指示により、データ送信装置１２０から受信した画像データの保存先を変更する手段である。ユーザは、操作パネル２０６に表示された操作画面を使用して、画像データの保存先を指定することができる。ユーザは、画像データの保存先として、画像処理装置１３０が備える記憶装置やクラウドサーバ等の種々の保存先を指定することができる。
【００２１】
保存先切替部２０２は、操作パネル２０６およびＵＩ管理部２０５を介して、画像データの保存先の変更指示を受信すると、ユーザが指示した保存先の情報を保存先指定情報に書き込む。
【００２２】
通知部２０３は、ユーザに種々の情報を通知する手段である。通知部２０３は、ＵＩ管理部２０５を介して、図１１に示すような種々の操作画面を操作パネル２０６に表示させる。
【００２３】
操作画面１１００は、ユーザに対し、画像データを受信したことを通知するＧＵＩである。ユーザが操作画面１１００の「確認」ボタンを押下すると、操作パネル２０６の画面が操作画面１１１０に遷移する。
【００２４】
操作画面１１１０は、画像データの処理方法および処理実行を指示可能なＧＵＩである。操作画面１１１０は、画像処理装置１３０が利用可能な処理方法が表示される。ユーザは、これらの処理方法から所望する処理方法を選択し、「実行」ボタンを押下することにより、選択された処理方法で画像データの処理の実行を指示することができる。
【００２５】
処理方法確認部２０４は、画像処理装置１３０が利用可能な画像データの処理方法を確認する手段である。処理方法確認部２０４は、画像処理装置１３０の性能情報であるプロフィール情報を参照し、また、画像処理装置１３０のハードウェアの接続状態を確認して、画像データの処理方法を確認する。画像処理装置１３０が利用可能な処理方法は、図１１に示す操作画面１１１０のようなＧＵＩに表示される。
【００２６】
ＵＩ管理部２０５は、操作パネル２０６を制御する機能手段である。ＵＩ管理部２０５は、図１１に示す操作画面のような種々のＧＵＩを操作パネル２０６に表示する。
【００２７】
操作パネル２０６は、ＵＩ管理部２０５の制御下で種々のＧＵＩを表示する手段である。また、操作パネル２０６は、当該ＧＵＩを介してユーザから様々な指示を受け付ける。操作パネル２０６は、画像データの処理実行指示、画像データの保存先の変更指示、画像データの削除指示、処理完了通知の送信指示等の指示を受け付け、これらの指示に関係する手段に通知する。
【００２８】
また、画像処理装置１３０は、指示受付部２０７と、処理部２０８と、プロッタ２０９と、ハードディスクドライブ（ＨＤＤ）２１０とを備える。
【００２９】
指示受付部２０７は、ユーザから種々の指示を受け付ける手段である。具体的には、指示受付部２０７は、操作パネル２０６およびＵＩ管理部２０５を介して、画像データの処理実行指示、画像データの削除指示および処理完了通知の送信指示を受け付ける。
【００３０】
指示受付部２０７は、画像データの処理実行指示を受け付けると、処理部２０８に対し、ユーザが指定した処理方法を通知して、画像データの処理実行を指示する。また、指示受付部２０７は、画像データの削除指示または処理完了通知の送信指示を受け付けると、これらの指示の有無を示す指示情報を生成する。
【００３１】
処理部２０８は、ユーザが指定した処理方法によって画像データを処理する手段である。ユーザが指定可能な処理方法は、例えば、カラー印刷やモノクロ印刷、ＨＤＤ２１０への保存、フォルダ転送、メール送信、クラウドサーバへの保存などの処理である。
【００３２】
カラー印刷またはモノクロ印刷が指定されている場合は、処理部２０８は、プロッタ２０９を介して画像データのカラー印刷またはモノクロ印刷を実行する。ＨＤＤ２１０への保存が指定されている場合は、処理部２０８は、画像データをＨＤＤ２１０へ保存する。
【００３３】
フォルダ転送が指定されている場合は、処理部２０８は、通信部２００を介して、ユーザが指定したフォルダに画像データを転送する。メール送信が指定されている場合は、処理部２０８は、通信部２００を介して、ユーザが指定したメールアドレスに画像データを送信する。クラウドサーバへの保存が指定されている場合は、処理部２０８は、通信部２００を介して、ユーザが指定したクラウドサーバに画像データを送信する。
【００３４】
また、処理部２０８は、画像データの削除指示がされている場合、画像データの処理後に、保存部２０１が保存した画像データを削除する。画像データの処理完了通知の送信指示がされている場合には、処理部２０８は、画像データの処理後に、データ送信装置１２０に処理完了通知を送信する。
【００３５】
図３は、本発明の画像処理装置が実行する処理の第１の実施形態を示すフローチャートである。以下、図３を参照して、画像処理装置１３０がデータ送信装置１２０から画像データを受信したときに実行する処理について説明する。
【００３６】
図３の処理は、ステップＳ３００から開始し、ステップＳ３０１で画像処理装置１３０の保存部２０１が、データ送信装置１２０から受信した画像データを、画像処理装置１３０の記憶装置に一時的に保存する。ステップＳ３０２では、通知部２０３が、ＵＩ管理部２０５を介して、図１１に示す操作画面１１００のようなＧＵＩを操作パネル２０６に表示することにより、画像データを受信したことをユーザに通知する。
【００３７】
ステップＳ３０３では、指示受付部２０７が、処理実行指示を受け付けたか否か判断する。処理実行指示を受け付けていない場合には（ｎｏ）、ステップＳ３０３の処理が反復される。一方、処理実行指示を受け付けた場合には（ｙｅｓ）、処理がステップＳ３０４に分岐する。ステップＳ３０４では、処理部２０８が、ユーザが指定した処理方法で画像データを処理し、ステップＳ３０５で処理が終了する。
【００３８】
図４は、本発明の画像処理装置が実行する処理の第２の実施形態を示すフローチャートである。図４の処理は、ステップＳ４００から開始し、ステップＳ４０１で画像処理装置１３０の保存部２０１が、データ送信装置１２０から受信した画像データを画像処理装置１３０の記憶装置に一時的に保存する。ステップＳ４０２では、通知部２０３が、画像データを受信したことをユーザに通知する。
【００３９】
ステップＳ４０３では、処理方法確認部２０４が、図５に示す処理方法の確認処理を実行する。ステップＳ４０４では、通知部２０３は、後述する確認処理で生成された処理方法情報を参照し、処理方法の確認処理の結果を表示した操作画面１１１０のようなＧＵＩを操作パネル２０６に表示することにより、処理方法をユーザに通知する。
【００４０】
ステップＳ４０５では、指示受付部２０７が、処理実行指示を受け付けたか否か判断する。処理実行指示を受け付けていない場合には（ｎｏ）、ステップＳ４０５の処理が反復される。一方、処理実行指示を受け付けた場合には（ｙｅｓ）、処理がステップＳ４０６に分岐する。ステップＳ４０６では、処理部２０８が、ユーザが指定した処理方法で画像データを処理し、ステップＳ４０７で処理が終了する。
【００４１】
図５は、図４のステップＳ４０３に示す処理方法の確認処理を示すフローチャートである。図５に示す処理は、ステップＳ５００から開始し、ステップＳ５０１で処理方法確認部２０４が、画像処理装置１３０のプロファイル情報を参照し、画像処理装置１３０がカラー印刷に対応しているか否か判断する。カラー印刷に対応している場合には（ｙｅｓ）、ステップＳ５０２で処理方法確認部２０４が、カラー印刷が可能であることを示す情報を処理方法情報に書き込む。一方、カラー印刷に対応していない場合には（ｎｏ）、処理がステップＳ５０３に分岐する。
【００４２】
ステップＳ５０３では、処理方法確認部２０４は、画像処理装置１３０のハードウェアの接続状態を確認し、画像処理装置１３０にＨＤＤ２１０が接続されているか否か判断する。ＨＤＤ２１０が接続されている場合には（ｙｅｓ）、ステップＳ５０４で処理方法確認部２０４が、ＨＤＤ保存が可能であることを示す情報を処理方法情報に書き込む。一方、ＨＤＤ２１０が接続されていない場合には（ｎｏ）、処理がステップＳ５０５に分岐する。
【００４３】
ステップＳ５０５では、処理方法確認部２０４は、通信部２００を介して、画像処理装置１３０が所定のクラウドサーバに接続可能か否か判断する。クラウドサーバに接続可能な場合には（ｙｅｓ）、ステップＳ５０６で処理方法確認部２０４が、クラウドサーバへの保存が可能であることを示す情報を処理方法情報に書き込む。一方、クラウドサーバに接続できない場合には（ｎｏ）、処理がステップＳ５０７に分岐する。
【００４４】
ステップＳ５０７では、処理方法確認部２０４は、プロファイル情報を参照し、画像データの転送先メールアドレスが登録されているか否か判断する。転送先メールアドレスが登録されている場合には（ｙｅｓ）、ステップＳ５０８で処理方法確認部２０４が、メール送信が可能であることを示す情報を処理方法情報に書き込む。一方、転送先メールアドレスが登録されていない場合には（ｎｏ）、処理がステップＳ５０９に分岐する。
【００４５】
ステップＳ５０９では、処理方法確認部２０４は、プロファイル情報を参照し、画像データの転送先フォルダが登録されているか否か判断する。転送先フォルダが登録されている場合には（ｙｅｓ）、ステップＳ５１０で処理方法確認部２０４が、フォルダ転送が可能であることを示す情報を処理方法情報に書き込み、ステップＳ５１１で処理が終了する。一方、転送先フォルダが登録されていない場合には（ｎｏ）、処理がステップＳ５１１に分岐して終了する。
【００４６】
図４および図５に示す実施形態では、画像処理装置が画像データを受信した時点で利用可能な処理方法を判断してユーザに通知するため、ユーザが自ら、画像処理装置が利用可能な処理方法を調べることなく、画像データの処理方法を選択することができ、ユーザビリティを向上させることができる。
【００４７】
図６は、本発明の画像処理装置が実行する処理の第３の実施形態を示すフローチャートである。本実施形態では、画像データを受信する前に、保存先切替部２０２がユーザの指示に基づいて保存先指定情報を生成する。
【００４８】
図６の処理は、ステップＳ６００から開始し、ステップＳ６０１で画像処理装置１３０の保存部２０１が、保存先切替部２０２が生成した保存先指定情報を参照して、画像データの保存先を判断する。ステップＳ６０２では、保存部２０１は、保存先指定情報が指定する保存先に画像データを一時的に保存する。ステップＳ６０３では、通知部２０３が、画像データを受信したことをユーザに通知する。
【００４９】
ステップＳ６０４では、指示受付部２０７が、処理実行指示を受け付けたか否か判断する。処理実行指示を受け付けていない場合には（ｎｏ）、ステップＳ６０４の処理が反復して実行される。一方、処理実行指示を受け付けた場合には（ｙｅｓ）、処理がステップＳ６０５に分岐する。ステップＳ６０５では、処理部２０８が、ユーザが指定した処理方法で画像データを処理し、ステップＳ６０６で処理が終了する。
【００５０】
本実施形態では、ユーザが指定した保存先に画像データを一時的に保存するため、ユーザが所望する様々な保存先に画像データを保存することができる。
【００５１】
図７は、本発明の画像処理装置が実行する処理の第４の実施形態を示すフローチャートである。図７の処理は、ステップＳ７００から開始し、ステップＳ７０１で画像処理装置１３０の保存部２０１が、データ送信装置１２０から受信した画像データを画像処理装置１３０の記憶装置に一時的に保存する。ステップＳ７０２では、保存部２０１は、画像データの保存が成功したか否か判断する。
【００５２】
画像データの保存が成功した場合には（ｙｅｓ）、処理がステップＳ７０３に分岐する。一方、ステップＳ７０２で画像データの保存が失敗したと判断した場合には（ｎｏ）、処理がステップＳ７０６に分岐する。ステップＳ７０６では、保存部２０１は、プロファイル情報を参照し、他に保存先が存在するか否か判断する。本実施形態のプロファイル情報には、画像データの保存先を示す情報が含まれており、画像処理装置１３０が備える別の記憶装置や同一の記憶装置内の別のメモリ空間等を、画像データの保存先として指定することができる。
【００５３】
他に保存先が存在しない場合には（ｎｏ）、通知部２０３が、画像データの保存に失敗したことをユーザに通知し、ステップＳ７１０で処理が終了する。一方、他に保存先が存在する場合には（ｙｅｓ）、処理がステップＳ７０７に分岐する。
【００５４】
ステップＳ７０７では、保存部２０１は、当該他の保存先に画像データを保存する。ステップＳ７０８では、保存部２０１は、ステップＳ７０７で画像データの保存が成功したか否か判断する。画像データの保存が失敗した場合には（ｎｏ）、処理がステップＳ７０６に戻る。
【００５５】
一方、画像データの保存が成功した場合には（ｙｅｓ）、処理がステップＳ７０９に分岐する。ステップＳ７０９では、通知部２０３が、ＵＩ管理部２０５および操作パネル２０６を介して、画像データの保存先を変更したことを、保存先の情報と共にユーザに通知する。
【００５６】
ステップＳ７０３では、通知部２０３が、画像データを受信したことをユーザに通知する。ステップＳ７０４では、指示受付部２０７が、処理実行指示を受け付けたか否か判断する。処理実行指示を受け付けていない場合には（ｎｏ）、ステップＳ７０４の処理が反復される。一方、処理実行指示を受け付けた場合には（ｙｅｓ）、処理がステップＳ７０５に分岐する。ステップＳ７０５では、処理部２０８が、ユーザが指定した処理方法で画像データを処理し、ステップＳ７１０で処理が終了する。
【００５７】
本実施形態では、画像処理装置が画像データの一時的な保存先を切り替えるため、画像データの保存に失敗した場合でも、他の保存先に画像データを保存することができる。
【００５８】
図８は、本発明の画像処理装置が実行する処理の第５の実施形態を示すフローチャートである。本実施形態では、画像データを受信する前に、指示受付部２０７がユーザの指示に基づいて指示情報を生成する。
【００５９】
図８の処理は、ステップＳ８００から開始し、ステップＳ８０１で画像処理装置１３０の保存部２０１が、データ送信装置１２０から受信した画像データを画像処理装置１３０の記憶装置に一時的に保存する。ステップＳ８０２では、通知部２０３が、画像データを受信したことをユーザに通知する。
【００６０】
ステップＳ８０３では、指示受付部２０７が、処理実行指示を受け付けたか否か判断する。処理実行指示を受け付けていない場合には（ｎｏ）、ステップＳ８０３の処理が反復される。一方、処理実行指示を受け付けた場合には（ｙｅｓ）、処理がステップＳ８０４に分岐する。ステップＳ８０４では、処理部２０８が、ユーザが指定した処理方法で画像データを処理する。
【００６１】
ステップＳ８０５では、処理部２０８は、指示情報を参照し、画像データの削除指示が有るか否か判断する。画像データの削除指示が無い場合には（ｎｏ）、ステップＳ８０７で処理が終了する。一方、画像データの削除指示が有る場合には（ｙｅｓ）、ステップＳ８０６で処理部２０８が、ステップＳ８０１で保存された処理済みの画像データを削除し、ステップＳ８０７で処理が終了する。
【００６２】
本実施形態では、画像処理装置が、画像データの削除指示の有無に応じて、画像データを削除または保持するため、ユーザが、画像データの保存または削除を任意で指示することができる。これにより、画像データを削除する場合には、メモリ領域を有効的に活用することができ、画像データを保持する場合には、同一の画像データを再度利用することができる。
【００６３】
図９は、本発明の画像処理装置が実行する処理の第６の実施形態を示すフローチャートである。本実施形態では、画像データを受信する前に、指示受付部２０７がユーザの指示に基づいて指示情報を生成する。
【００６４】
図９の処理は、ステップＳ９００から開始し、ステップＳ９０１で画像処理装置１３０の保存部２０１が、データ送信装置１２０から受信した画像データを画像処理装置１３０の記憶装置に一時的に保存する。ステップＳ９０２では、通知部２０３が、画像データを受信したことをユーザに通知する。
【００６５】
ステップＳ９０３では、指示受付部２０７が、処理実行指示を受け付けたか否か判断する。処理実行指示を受け付けていない場合には（ｎｏ）、ステップＳ９０３の処理が反復して実行される。一方、処理実行指示を受け付けた場合には（ｙｅｓ）、処理がステップＳ９０４に分岐する。ステップＳ９０４では、処理部２０８が、ユーザが指定した処理方法で画像データを処理する。
【００６６】
ステップＳ９０５では、処理部２０８は、指示情報を参照し、処理完了通知の送信指示が有るか否か判断する。処理完了通知の送信指示が無い場合には（ｎｏ）、ステップＳ９０７で処理が終了する。一方、処理完了通知の送信指示が有る場合には（ｙｅｓ）、ステップＳ９０６で処理部２０８が、画像データを送信したデータ送信装置１２０に対し、通信部２００を介して処理完了通知を送信し、ステップＳ９０７で処理が終了する。
【００６７】
本実施形態では、画像データの処理が終了した時点で、画像データを送信したデータ送信装置に処理完了通知を送信する。これにより、画像データを送信したユーザは、当該画像データが受信側の画像処理装置で処理されたか否か把握することができる。
【００６８】
図１０は、本発明の画像処理装置が実行する処理の第７の実施形態を示すフローチャートである。図１０の処理は、ステップＳ１０００から開始し、ステップＳ１００１で画像処理装置１３０の保存部２０１が、データ送信装置１２０から受信した画像データを画像処理装置１３０の記憶装置に一時的に保存する。ステップＳ１００２では、通知部２０３が、画像データを受信したことをユーザに通知する。
【００６９】
ステップＳ１００３では、指示受付部２０７が、処理実行指示を受け付けたか否か判断する。処理実行指示を受け付けていない場合には（ｎｏ）、処理がステップＳ１００４に分岐する。ステップＳ１００４では、指示受付部２０７は、所定の時間が経過したか否か判断する。本実施形態では、任意の時間を所定の時間とすることができる。
【００７０】
一定時間が経過していない場合には（ｎｏ）、処理をステップＳ１００３に戻し、一定時間が経過するまで、ユーザからの処理実行指示を待機する。一方、一定時間が経過した場合には（ｙｅｓ）、処理をステップＳ１００２に戻し、通知部２０３が、画像データを受信したことを再度通知する。
【００７１】
ステップＳ１００３で処理実行指示を受け付けたと判断した場合には（ｙｅｓ）、処理がステップＳ１００５に分岐する。ステップＳ１００５では、処理部２０８が、ユーザが指定した処理方法で画像データを処理し、ステップＳ１００６で処理が終了する。
【００７２】
本実施形態では、処理実行指示を受け付けていない状態で一定の時間が経過すると、ユーザに対し、再度、画像データの受信を通知するため、画像データの受信をユーザに確実に通知することができる。
【００７３】
これまで本実施形態につき説明してきたが、本発明は、上述した実施形態に限定されるものではなく、本実施形態の構成要素を変更若しくは削除し、または本実施形態の構成要素を他の構成要素を追加するなど、当業者が想到することができる範囲内で変更することができる。また、上述した各実施形態は、それぞれ個別に説明されているが、本発明は、これらの実施形態を組み合わせて構成可能であることに留意すべきである。いずれの態様においても本発明の作用効果を奏する限り、本発明の範囲に含まれるものである。
【符号の説明】
【００７４】
１００…画像処理システム、１１０…ネットワーク、１２０…データ送信装置、１３０…画像処理装置
【先行技術文献】
【特許文献】
【００７５】
【特許文献１】特開２００８−９８７８９号公報
【図１】
2014175911.tif 000003
【図２】
2014175911.tif 000004
【図３】
2014175911.tif 000005
【図４】
2014175911.tif 000006
【図５】
2014175911.tif 000007
【図６】
2014175911.tif 000008
【図７】
2014175911.tif 000009
【図８】
2014175911.tif 000010
【図９】
2014175911.tif 000011
【図１０】
2014175911.tif 000012
【図１１】
2014175911.tif 000013